(57)【要約】      （修正有）【課題】患者等が直接薬局に指示箋を持参しなくとも指示医薬品類を購入することができるシステムの提供。【解決手段】医療機関端末から指示箋のコード化依頼を受けたときに、販売薬店等のＵＲＬが表示された電子指示箋を作成し、コードに記録する手順と、当該コードを当該医療機関端末に送信する手順と、当該医療機関によって提示された電子指示箋中の販売薬店等のＵＲＬに患者等端末からアクセスを受けたときに、問診アンケート及び代金決済処理方法と指示医薬品類の発送宛名の入力の求めを表示する手順と、アンケート回答入力と代金決済処理方法と指示医薬品類の発送宛名の入力を受けたときに、指示医薬品類に関する説明と必要があれば再質問を表示する手順と、当該指示医薬品類説明の確認入力と再質問に対する回答入力を受けたときに、指示医薬品類の購入申し込みが完了したこと及び当該宛名に指示医薬品類を発送することの通知を表示する手順とを実行する。【選択図】図２
2020107236.tif 000002
【特許請求の範囲】
【請求項１】
コンピュータに、
医療機関端末から指示箋のコード化依頼を受けたときに、購入申し込み用の販売薬店等のＵＲＬが表示された電子指示箋を作成し、コードに記録する手順と、
当該コードを当該医療機関端末に送信する手順と、
当該医療機関によって提示された当該コードの患者等端末による読み取りにより表示された電子指示箋中の販売薬店等のＵＲＬに患者等端末からアクセスを受けたときに、当該患者等端末に問診アンケート及び代金決済処理方法と指示医薬品類の発送宛名の入力の求めを表示する手順と、
当該患者等端末からアンケート回答と代金決済処理方法と指示医薬品類の発送宛名の入力を受けたときに、当該患者等端末に指示医薬品類に関する説明と必要があれば再質問を表示する手順と、
当該患者等端末から当該指示医薬品類説明の確認入力と再質問に対する回答入力を受けたときに、
当該患者等端末に指示医薬品類の購入申し込みが完了したこと及び当該宛名に指示医薬品類を発送することの通知を表示する手順とを、
実行させるための、コンピュータネットワークを介する指示医薬品類の販売プログラム。
【請求項２】
コンピュータネットワークを介して指示医薬品類を販売するシステムであって、
医療機関端末から指示箋のコード化依頼を受けたときに、購入申し込み用の販売薬店等のＵＲＬが表示された電子指示箋を作成し、コードに記録する手段と、
当該コードを当該医療機関端末に送信する手段と、
当該医療機関によって提示された当該コードの患者等端末による読み取りにより表示された電子指示箋中の販売薬店等のＵＲＬに患者等端末からアクセスを受けたときに、当該患者等端末に問診アンケート及び代金決済処理方法と指示医薬品類の発送宛名の入力の求めを表示する手段と、
当該患者等端末からアンケート回答入力と代金決済処理方法と指示医薬品類の発送宛名の入力を受けたときに、当該患者等端末に指示医薬品類に関する説明と必要があれば再質問を表示する手段と、
当該患者等端末から当該指示医薬品類説明の確認入力と再質問に対する回答入力を受けたときに、
当該患者等端末に指示医薬品類の購入申し込みが完了したこと及び当該宛名に指示医薬品類を発送することの通知を表示する手段とを、
有することを特徴とする指示医薬品類の販売システム。
【発明の詳細な説明】
【技術分野】
【０００１】
本発明はコンピュータネットワークを介して指示医薬品、指示医療用具または指示衛生用品を販売するためのプログラム及びシステムに関する。
【背景技術】
【０００２】
一般用の医薬品、医療用具及び衛生用品（以下、「医薬品類」と総称する。）は消費者が自らの意思で薬店等で購入できるものではあるが、一方で、医療機関において医師（獣医師及び歯科医師を含む）の診察の結果、医師の判断により、患者（ペットを含む）が使用すべき一般用の医薬品類の名称や用法或いは用量を指示・記載した指示箋（「指示せん」と表されることもある）が交付され、それをもとに患者またはその保護者等（以下、「患者等」）が薬店や薬局（以下、「薬店等」と総称する。）で、指示箋で指示された医薬品、医療用具及び衛生用品（以下、「指示医薬品類」と総称する）を買い求めることがある。
しかしながら、斯かる従来の方法には直接薬店等に指示箋を持参しなければならないと云う問題があり、手軽な購入性に欠けるのが実状であった。
因みに、処方箋についてはバーコード化した電子処方箋の例も既に報告されているが（特許文献１）、この電子処方箋も患者等が薬局に持参しなければならず、手軽な購入性については何らの改善にもならないのが実状であった。
【先行技術文献】
【特許文献】
【０００３】
【特許文献１】特開２００３−１８６９９９号公報
【発明の概要】
【発明が解決しようとする課題】
【０００４】
本発明は、上記の如き従来の問題と実状に鑑みてなされたものであり、患者等が直接薬店等に指示箋を持参しなくとも指示医薬品類を購入することができる指示医薬品類の販売プログラム及びシステムを提供することを課題としている。
【０００５】
而して、本発明者は当該課題を解決すべく種々研究を重ねた結果、当該指示医薬品類を販売する薬店等のＵＲＬを表示した電子指示箋をコード化すれば、患者等はその端末で当該コードを読み取ることで、コンピュータネットワークを介して薬店等にアクセスすることにより指示医薬品類を手軽に購入できることを見い出し、本発明を完成した。
【課題を解決するための手段】
【０００６】
すなわち、請求項１に係る本発明は、コンピュータに、
医療機関端末から指示箋のコード化依頼を受けたときに、購入申し込み用の販売薬店等のＵＲＬが表示された電子指示箋を作成し、コードに記録する手順と、
当該コードを当該医療機関端末に送信する手順と、
当該医療機関によって印刷提示された当該コードの患者等の端末による読み取りにより表示された電子指示箋中の販売薬店等のＵＲＬに患者等の端末からアクセスを受けたときに、当該患者等の端末（以下「患者等端末」）に問診アンケート及び代金決済処理方法と指示医薬品類の発送宛名の入力の求めを表示する手順と、
当該患者等端末からアンケート回答入力と代金決済処理方法と指示医薬品類の発送宛名の入力を受けたときに、当該患者等端末に指示医薬品類に関する説明と必要があれば再質問を表示する手順と、
当該患者等端末から当該指示医薬品類の説明の確認入力と再質問に対する回答入力を受けたときに、
当該患者等端末に当該指示医薬品類の購入申し込みが完了したこと及び当該宛名に指示医薬品類を発送することの通知を表示する手順とを、
実行させるための、コンピュータネットワークを介する指示医薬品類の販売プログラムにより上記課題を解決したものである。
【０００７】
また、請求項２に係る本発明は、コンピュータネットワークを介して指示医薬品類を販売するシステムであって、
医療機関端末から指示箋のコード化依頼を受けたときに、購入申し込み用の販売薬店等のＵＲＬが表示された電子指示箋を作成し、コードに記録する手段と、
当該コードを当該医療機関端末に送信する手段と、
当該医療機関によって印刷提示された当該コードの患者等端末による読み取りにより表示された電子指示箋中の販売薬店等のＵＲＬに患者等端末からアクセスを受けたときに、当該患者等端末に問診アンケート及び代金決済処理方法と指示医薬品類の発送宛名の入力の求めを表示する手段と、
当該患者等端末からアンケート回答入力と代金決済処理方法と指示医薬品類の発送宛名の入力を受けたときに、当該患者等端末に指示医薬品類に関する説明と必要があれば再質問を表示する手段と、
当該患者等の端末から当該指示医薬品類の説明の確認入力と再質問に対する回答入力を受けたときに、
当該患者等端末に指示医薬品類の購入申し込みが完了したこと及び当該宛名に指示医薬品類を発送することの通知を表示する手段とを、
有することを特徴とする指示医薬品類の販売システムにより上記課題を解決したものである。
【発明の効果】
【０００８】
本発明によれば、患者等が直接薬店等に出向かなくともコンピュータネットワークを介して指示医薬品類を購入することができ、時間や場所にしばられず、極めて手軽な購入が可能となる。
【図面の簡単な説明】
【０００９】
【図１】本発明指示医薬品類の販売システムの概略構成説明図。
【図２】本発明指示医薬品類の販売システムによる処理ステップの概略フローチャート。
【図３】電子指示箋例を示す図。
【図４】ＱＲコードの印刷提示例を示す図。
【図５】問診アンケート例を示す図。
【発明を実施するための形態】
【００１０】
以下本発明の実施の形態を図面と共に説明する。
【００１１】
図１は本発明の指示医薬品類の販売システムの概略構成説明図である。
当該図１において、１０は指示医薬品類の販売薬店等に設置されるホストコンピュータで、当該販売薬店等における指示医薬品類販売ウェブページを含め、本システム全体を統轄的に制御するものである。このホストコンピュータ１０には、請求項１に記載の指示医薬品類の販売プログラムがインストールされ、医療機関端末から指示箋のコード化依頼を受けたときに、購入申し込み用の販売薬店等のＵＲＬが表示された電子指示箋を作成し、コードに記録する手順と、
当該コードを当該医療機関端末に送信する手順と、
当該医療機関によって印刷提示された当該コードの患者等端末による読み取りにより表示された電子指示箋中の販売薬店等のＵＲＬに患者等の端末からアクセスを受けたときに、当該患者等端末に問診アンケート及び代金決済処理方法と指示医薬品類の発送宛名の入力の求めを表示する手順と、
当該患者等端末からアンケート回答入力と代金決済処理方法と指示医薬品類の発送宛名の入力を受けたときに、当該患者等端末に指示医薬品類に関する説明と必要があれば再質問を表示する手順と、
当該患者等端末から当該指示医薬品類の説明の確認入力と再質問に対する回答入力を受けたときに、当該患者等端末に指示医薬品類の購入申し込みが完了したこと及び当該宛名に指示医薬品類を発送することの通知を表示する手順の実行処理等を実現していると共に、少なくとも購入申し込み用の販売薬店等のＵＲＬ情報、電子指示箋作成情報、患者等に対する問診アンケート情報、指示医薬品類の説明情報、再質問情報、代金決済処理情報及び指示医薬品類発送処理情報を格納する販売管理データベース部１１を連結或いは組込みより備えている。
また、このホストコンピュータ１０には、インターネット４０を介して医療機関端末２０及び患者等端末３０が接続通信可能となっている。
【００１２】
次に、上記の実施の形態に係る本発明指示医薬品類の販売システムによる指示医薬品類の販売例を、販売処理ステップの概略フローチャートを示す図２に基いて説明する。
【００１３】
まず、ホストコンピュータ１０が作動を開始し、医療機関端末２０から、医師が作成した指示箋の送付と共に、バーコードやＱＲコード等のコード化の依頼情報の入力を受けると（Ｓ１００）、ホストコンピュータ１０は販売管理データベース部１１から販売薬店等のＵＲＬを索出し、例えば図３に示すように、備考欄に販売薬店等への購入申し込み用ＵＲＬとして表示した、電子指示箋を作成の上、ＱＲコード等に記録する（Ｓ１１０）。
次に、ホストコンピュータ１０は当該ＱＲコード等を、コード化の依頼をした当該医療機関端末２０に送信する（Ｓ１２０）。
【００１４】
次に、当該医療機関は送信を受けたＱＲコード等を、典型的には、印刷（プリントアウト）し、患者等に提示する（Ｓ１３０）。この印刷等による提示方法としては、例えば図４に示すように、電子指示箋ダウンロード用ＱＲコード案内カードとして患者等にそれぞれ開示もしくは配布する方法が一般的であるが、場合によって医療機関の受け付けの壁面等人目に付き易い場所に貼付展示する方法等もあげられる。要するに、患者等端末３０での前記ＱＲコード等の読み取りが可能であれよい。
【００１５】
次に、患者等端末３０で当該ＱＲコード等を読み取れば（Ｓ１４０）、患者等端末３０に購入申し込み用の販売薬店等のＵＲＬを含む電子指示箋（図３参照）が表示される。そこで、患者等端末３０からの当該電子指示箋中の購入申し込み用の販売薬店等のＵＲＬのクリックにより、薬店等がアクセスを受け、指示医薬品類の購入申し込みを受けると（Ｓ１５０）、薬店等は販売管理データベース１１から法的に必要とされる問診アンケート（図５参照）を索出して当該患者等端末３０に表示し（Ｓ１６０）、その回答を求める。
【００１６】
次に、薬店等が、当該患者等端末３０からアンケート回答情報の入力を受けると（Ｓ１７０）、薬店等は販売管理データベース１１から法的に必要とされる指示医薬品類の用法・用量・使用上の注意等の説明と、更に必要があれば再質問を索出して当該患者等端末３０に表示し（Ｓ１８０）、その確認と再回答を求める。
【００１７】
次に、薬店等が、当該患者等端末３０から当該指示医薬品類説明の確認情報の入力と、再質問に対する回答情報の入力を受けると（Ｓ１９０）、基本的な当該指示医薬品類の購入申し込みが成立する。薬店等は販売管理データベース１１から代金決済処理方法と指示医薬品類の発送宛名の入力要請文を索出して当該患者等端末３０に表示し（Ｓ１６０）し、その入力を求める。
【００１８】
上記の、薬店等もしくはホストコンピュータ１０と患者等端末３０との通信の過程において、薬店等はホストコンピュータ１０から代金決済処理方法と指示医薬品類の発送宛名の入力要請文を索出して当該患者等端末３０に表示し（Ｓ１６０）し、その入力を求め、薬店等が、当該患者等端末３０から代金の決済処理法と指示医薬品類の発送宛名情報の入力を受けると（Ｓ１７０）、薬店等はホストコンピュータ１０から指示医薬品類の購入申し込みが完了する通知文及び当該宛名への指示医薬品類の発送通知文を索出して当該患者等端末３０に表示し（Ｓ２００）、本システムの作動は終了する。
前記の代金決済処理方法と指示医薬品類の発送宛名の入力要請文は、患者等端末に問診アンケートを表示する際に合わせて表示し、また代金決済処理方法と指示医薬品の発送宛名の入力は当該アンケート回答入力際に合わせて入力してもらうことが望ましいが、それに代えて再質問を索出して当該患者等端末３０に表示し（Ｓ１８０）、その確認と再回答を求める過程で表示と入力を行ってもよい。
【００１９】
一方、患者等端末３０から問診アンケートに回答がなかった場合、指示医薬品類説明の確認がなかった場合、再質問に対する回答がなかった場合、代金決済処理方法と指示医薬品類の発送宛名の入力がなかった場合には、何れも薬店等もしくはホストコンピュータ１０は購入申し込みがなかったものとして終了する。
【符号の説明】
【００２０】
１０：ホストコンピュータ
１１：販売管理データベース部
２０：医療機関端末
３０：患者等端末
４０：インターネット
５０：ＱＲコード
【図１】
2020107236.tif 000003
【図２】
2020107236.tif 000004
【図３】
2020107236.tif 000005
【図４】
2020107236.tif 000006
【図５】
2020107236.tif 000007